(57)【要約】      （修正有）【課題】内部に係止部が設けられ、かつ嵌合しにくく、使用時に手を傷つけない傘用のろくろ開閉機構を提供する。【解決手段】上ろくろ１２と下ろくろ６を含むろくろ本体と中棒を含み、ろくろ本体には係止カバーが被覆して設けられ、ろくろ本体と中棒の間には係止部が設けられ、ろくろ本体と係止カバーの間には制御機構が設けられる。係止部は２つの円弧状係止部材５を含み、ろくろ本体の円周側壁には環状係止溝が設けられ、環状係止溝の位置で、円弧状係止部材の外径は環状係止溝の外径より大きく、環状係止溝内には係止孔が設置され、円弧状係止部材の円周内壁には係止孔に係合する係止ブロック３が設けられ、中棒には係止ブロックに係合する固定孔が設けられる。【選択図】図１
0003213475.tif 000002
【実用新案登録請求の範囲】
【請求項１】
ろくろ本体と中棒を含む傘用のろくろ開閉機構であって、前記ろくろ本体には係止カバーが被覆して設置され、前記ろくろ本体と中棒の間には係止部が設置され、前記ろくろ本体と係止カバーの間には制御機構が設けられている、ことを特徴とする傘用のろくろ開閉機構。
【請求項２】
前記係止部は２つの円弧状係止部材を含み、前記ろくろ本体の円周側壁には環状係止溝が設けられ、環状係止溝の位置で、前記円弧状係止部材の外径は環状係止溝の外径より大きく、前記環状係止溝内には係止孔が設置され、前記円弧状係止部材の円周内壁には係止孔に係合する係止ブロックが設けられ、前記中棒には係止ブロックに係合する固定孔が設けられている、ことを特徴とする請求項１に記載の傘用のろくろ開閉機構。
【請求項３】
前記制御機構は、係止カバーの内壁に設けられ、かつ係止カバーの軸線に向かって傾斜する環状凸縁を含み、前記ろくろ本体と環状凸縁の内壁は摺動係合する、ことを特徴とする請求項２に記載の傘用のろくろ開閉機構。
【請求項４】
前記ろくろ本体の円周側壁には環状位置決めブロックが設けられ、前記係止カバーには位置決めブロックに係合する位置決め溝が設けられている、ことを特徴とする請求項３に記載の傘用のろくろ開閉機構。
【請求項５】
前記ろくろ本体の円周内壁の環状係止溝に対応する上方には係止カバーの内壁に接着する環状当て板が設けられている、ことを特徴とする請求項４に記載の傘用のろくろ開閉機構。
【請求項６】
前記係止カバーの円周内壁には位置制限ブロックが対称になって設けられ、前記ろくろ本体の円周側壁には位置制限ブロックに係合するスライド溝が設けられている、ことを特徴とする請求項５に記載の傘用のろくろ開閉機構。
【請求項７】
前記位置制限ブロックは２つの円弧状係止部材の間に延伸され、前記位置制限ブロックの底部はＶ字型を成し、前記２つの円弧状係止部材の対向端は傾斜してＶ字型を成し、かつ位置制限ブロックのＶ字型底部に係合する、ことを特徴とする請求項６に記載の傘用のろくろ開閉機構。
【請求項８】
前記係止カバーの円周側壁には摩擦パターンが設けられている、ことを特徴とする請求項７に記載の傘用のろくろ開閉機構。
【請求項９】
前記ろくろ本体の円周内壁は正多角形を成す、ことを特徴とする請求項８に記載の傘用のろくろ開閉機構。
【請求項１０】
前記ろくろ本体は上ろくろと下ろくろを含み、前記上ろくろと下ろくろは分離して設けられている、ことを特徴とする請求項９に記載の傘用のろくろ開閉機構。
【考案の詳細な説明】
【技術分野】
【０００１】
本考案は傘の領域に関し、更に具体的には傘用のろくろ開閉機構に関する。
【背景技術】
【０００２】
傘は涼しい環境を提供する一方、雨、雪を遮蔽するための道具である。傘は人々が外出する際に常備する道具であり、現在、市販の傘はろくろに押しボタンが設けられて、傘の固定と収納に用いられているが、露出されている制御用の押しボタンは美しくなく、かつ場合によって容易に手を傷つける。
【考案の概要】
【考案が解決しようとする課題】
【０００３】
従来技術の不足点について、本考案は内部に係止部が設けられ、かつ嵌合しにくい傘用のろくろ開閉機構を提供する。
【０００４】
前記目的を実現するため、本考案は下記のような技術手段を提供する。傘用のろくろ開閉機構であって、ろくろ本体と中棒を含み、前記ろくろ本体の外部には係止カバーが被覆され、前記ろくろ本体と中棒の間には係止部が設けられ、前記ろくろ本体と係止カバーの間には制御機構が設けられている。
【０００５】
さらに、前記係止部は２つの円弧状係止部材を含み、前記ろくろ本体の円周側壁には環状係止溝が設けられ、環状係止溝の位置で、前記円弧状係止部材の外径は環状係止溝の外径より大きく、前記環状係止溝内には係止孔が設置され、前記円弧状係止部材の円周内壁には係止孔に係合する係止ブロックが設けられ、前記中棒には係止ブロックに係合する固定孔が設けられている。
さらに、前記制御機構は、係止カバーの内壁に設けられ、かつ係止カバーの軸線に向かって傾斜する環状凸縁を含み、前記ろくろ本体と環状凸縁の内壁は摺動係合する。
【０００６】
さらに、前記ろくろ本体の円周側壁には環状位置決めブロックが設けられ、前記係止カバーには位置決めブロックに係合する位置決め溝が設けられている。
【０００７】
さらに、前記ろくろ本体の円周内壁の環状係止溝に対応する上方には係止カバーの内壁に接着する環状当て板が設けられている。
【０００８】
さらに、前記係止カバーの円周内壁には位置制限ブロックが対称になって設けられ、前記ろくろ本体の円周側壁には位置制限ブロックに係合するスライド溝が設けられている。
【０００９】
さらに、前記位置制限ブロックは２つの円弧状係止部材の間に延伸され、前記位置制限ブロックの底部はＶ字型を成し、前記２つの円弧状係止部材の対向端は傾斜してＶ字型を成し、かつ位置制限ブロックのＶ字型底部に係合する。
【００１０】
さらに、前記係止カバーの円周側壁には摩擦パターンが設けられている。
さらに、前記ろくろ本体の円周内壁は正多角形を成している。
さらに、前記ろくろ本体は上ろくろと下ろくろを含み、前記上ろくろと下ろくろは分離して設けられている。
【００１１】
本考案はろくろ本体と中棒の間に係止部を設置することにより、ろくろ本体と中棒の間の互いの固定を実現し、更にろくろ本体と係止カバーの間に制御機構を設けて、係止部との固定と緩めを制御することができる。これにより、外部に制御機構を設置する必要がなく、傘の開閉の制御を実現し、美しく、かつ使用時に手を傷つけない。
【図面の簡単な説明】
【００１２】
【図１】図１は、本考案の傘用のろくろ開閉機構のろくろ本体構造の模式図である。
【図２】図２は、本考案の傘用のろくろ開閉機構の係止カバー構造の模式図である。
【図３】図３は、本考案の傘用のろくろ開閉機構の係止カバーに円弧状係止部材が設けられていない構造を示す図である。
【考案を実施するための形態】
【００１３】
図１乃至図３を用いて本考案の傘用のろくろ開閉機構の実施例について更に説明する。
【００１４】
傘用のろくろ開閉機構は、ろくろ本体と中棒を含み、前記ろくろ本体には係止カバー１１が被覆して設けられ、前記ろくろ本体と中棒の間には係止部が設けられ、前記ろくろ本体と係止カバー１１の間には制御機構が設けられている。
【００１５】
ろくろ本体と中棒の間に係止部を設けることにより、ろくろ本体と中棒の間が固定され、更にろくろ本体と係止カバー１１の間に制御機構を設けることにより、係止部との固定及び緩めを実現することができる。これにより、外部に制御機構を設けなくても、傘の開閉を制御することができ、美しく、かつ使用時に手を傷つけない。
【００１６】
本実施例において、好ましくは、前記係止部は２つの円弧状係止部材５を含み、前記ろくろ本体の円周側壁には環状係止溝１３が設けられている。環状係止溝１３の位置で、円弧状係止部材５の外径は環状係止溝１３の外径より大きく、前記環状係止溝１３内には係止孔１４が設けられている。前記円弧状係止部材５の円周内壁には、係止孔１４に係合する係止ブロック３が設けられ、前記中棒には係止ブロック３に係合する固定孔が設けられている。本実施例における円弧状係止部材５は塑性変形可能で、かつ円弧状係止部材５と係止溝の間に隙間を有することで、円弧状係止部材５の塑性変形を通じて円弧状係止部材５上の係止ブロック３が係止孔１４へ進入、及び係止ブロック３の係止孔１４からの離脱を制御することができる。係止カバー１１とろくろ本体の間の制御機構により、係止溝への円弧状係止部材５の係入、及び係止溝からの円弧状係止部材５の離脱を制御することができる。これにより、円弧状係止部材５上の係止ブロック３が係止孔１４へ係入、及び係止ブロック３の係止孔１４からの離脱を制御し、係止ブロック３と固定孔の間の固定と緩めを実現し、傘の開閉目的を実現することができる。
【００１７】
本実施例において、好ましくは、前記制御機構は、係止カバー１１の内壁に設けられ、かつ係止カバー１１の軸線に向かって傾斜する環状凸縁９を含み、前記ろくろ本体と環状凸縁９の内壁が摺動可能に係合される。傘を開くとき、上へ向かって係止カバー１１を押すと、係止カバー１１上の環状凸縁９の傾斜面が円弧状係止部材５を徐々に圧着することにより、最終的には円弧状係止部材５が完全に変形されて、係止溝内に係入される。これにより、円弧状係止部材５の係止ブロック３が係止孔１４内に係入されるため、押しボタンが無くても自動で嵌合して固定される。傘を閉じるとき、下へ向かって係止カバー１１を引くと、係止カバー１１が円弧状係止部材５を圧着しないため、円弧状係止部材５が自動で変形回復され、係止ブロック３が係止孔１４から離脱して、固定孔と係合されなくなって、傘を閉じることができる。
【００１８】
本実施例において、好ましくは、前記ろくろ本体の円周側壁には環状位置決めブロック４が設けられ、前記係止カバー１１には位置決めブロックに係合する位置決め溝７が設けられている。本実施例におけるろくろ本体の底部は対称になって分かれているため、環状位置決めブロック４が係止カバー１１内で変形されて、係止カバー１１内に係入される。環状位置決めブロック４と位置決め溝７の位置決め係合を通じて、円弧状係止部材５の圧着位置を固定し、更に係止カバー１１とろくろ本体の互いの固定を実現する。これにより、係止カバー１１は自然に落下されず、かつ環状凸縁９と環状位置決めブロック４によりろくろ本体と係止カバー１１の位置決めを行い、ろくろ本体と係止カバー１１が上下に摺動されて互いに離脱しない。
【００１９】
本実施例において、好ましくは、前記ろくろ本体の円周内壁の環状係止溝１３に対応する上方には係止カバー１１の内壁に接着する環状当て板１が設けられているため、円弧状係止部材が環状係止溝１３から離脱されないように、円弧状係止部材に対して位置制限する。
【００２０】
本実施例において、好ましくは、前記係止カバー１１の円周内壁には位置制限ブロック８が対称になって設けられている。前記ろくろ本体の円周側壁には位置制限ブロック８に係合するスライド溝２が設けられていることにより、係止カバー１１とろくろ本体の位置決めが更によくなって、互いの回転が生じない。
【００２１】
本実施例において、好ましくは、前記位置制限ブロック８は２つの円弧状係止部材の間に延伸され、前記位置制限ブロック８の底部はＶ字型を呈し、前記２つの円弧状係止部材の対向端は傾斜になってＶ字型を呈し、かつ位置制限ブロック８のＶ字型の底部に係合する。本実施例における２つの円弧状係止部材５は対称になって設けられている。傘を閉じるとき、下へ向かって係止カバー１１を引くと、係止カバー１１はスライド溝２に沿って下へ向かって摺動する傾向があり、これにより、位置制限ブロック８のＶ字型の底部には円弧状係止部材の両端を外部へ押圧する力が生じて、係止カバー１１をろくろ本体に対して所定距離ほど移動させることができ、更に円弧状係止部材を外側へ押出し、係止孔１４から係止ブロック３を自動で離脱させる。これにより、順調に傘を閉じることができ、傘を閉じる際に係止ブロック３と係止孔１４が嵌合されて損傷されることを防止する。
【００２２】
本実施例において、好ましくは、前記係止カバー１１の円周側壁には摩擦パターンが設けられているため、雨水により手が濡れたとき、摩擦パターンを通じて手と係止カバー１１の間の摩擦を増加して、手の滑りによって係止カバー１１を引張れない状況を防止する。
【００２３】
本実施例において、好ましくは、前記ろくろ本体の円周内壁は正八角形を形成して、ろくろ本体と中棒の相対回転を防止する。これにより、ろくろ本体の係止ブロック３と中棒の固定孔が固定され、係止ブロック３と固定孔が円周方向での位置が不適切になることによって、係止ブロック３が正確に固定孔に係入できな状況を防止することができる。もちろん、正六角形、正十角形を形成してもよい。
【００２４】
本実施例において、好ましくは、前記ろくろ本体は上ろくろ１２と下ろくろ６を含み、前記上ろくろ１２と下ろくろ６は分離して設置され、下ろくろ６が壊れたとき、上ろくろ１２は交換する必要がなく、下ろくろと係止カバー１１のみを交換すればよい。本実施例における上ろくろ１２はワイヤを通じて傘骨に固定されるため、交換と修理における操作とコストを減少させることができる。
【００２５】
上述は本考案の好ましい実施形態のみであり、本考案の保護範囲は上述の実施例に制限されず、本考案の思想の技術方案は本考案の保護範囲内に属する。ここで指摘することは、当業者にとって、本考案の原理から離れない前提で、若干の改善と修飾を行うことができるが、これらの改善と修飾も本考案の保護範囲内に属する。
【符号の説明】
【００２６】
１、環状当て板
２、スライド溝
３、係止ブロック
４、環状位置決めブロック
５、円弧状係止部材
６、下ろくろ
７、位置決め溝
８、位置制限ブロック
９、環状凸縁
１１、係止カバー
１２、上ろくろ
１３、環状係止溝
１４、係止孔
【図１】
0003213475.tif 000003
【図２】
0003213475.tif 000004
【図３】
0003213475.tif 000005